(57)【要約】      （修正有）【課題】ユーザの活動を妨げることを抑制するとともに、ウェアラブル端末の電池の消耗を抑制することができる通信端末の制御方法等を提供する。【解決手段】ユーザの身体の一部に装着可能なウェアラブル端末１１とネットワークを介して接続可能な通信端末１０のコンピュータを制御する制御方法である。通信端末１０に導入されているアプリケーションにおけるプッシュ通知を通信端末１０の記憶部に格納させ、通信端末１０が操作されているか否かを検知させる。通信端末１０が操作されていないことが検知されているときには、プッシュ通知を示す情報を含む通知情報をウェアラブル端末１１に送信させる制御を行い、通信端末１０が操作されていることが検知されているときには、通知情報をウェアラブル端末１１に送信させずに、プッシュ通知を示す情報を通信端末１０の通知部に通知させる制御を行う。【選択図】図２
2017050810.tif 000002
【特許請求の範囲】
【請求項１】
ユーザの身体の一部に装着可能なウェアラブル端末とネットワークを介して接続可能な通信端末の制御を前記通信端末のコンピュータに行わせる制御方法であって、
前記通信端末に導入されているアプリケーションにおけるプッシュ通知を前記通信端末の記憶部に格納させ、
前記通信端末が操作されているか否かを検知させ、
前記通信端末が操作されていないことが検知されているときには、前記プッシュ通知を示す情報を含む通知情報を前記ウェアラブル端末に送信させる制御を行わせ、
前記通信端末が操作されていることが検知されているときには、前記通知情報を前記ウェアラブル端末に送信させずに、前記プッシュ通知を示す情報を前記通信端末の通知部に通知させる制御を行わせる、
制御方法。
【請求項２】
前記通信端末は、ディスプレイを備え、
前記通信端末が操作されているか否かを検知させる際、
前記ディスプレイに情報が表示されている場合に、前記通信端末が操作されていると検知させ、
前記ディスプレイに情報が表示されていない場合に、前記通信端末が操作されていないと検知させる、
請求項１に記載の制御方法。
【請求項３】
前記通信端末は、さらに、ユーザの操作入力を受け付ける入力受付部を備え、
前記通信端末が操作されているか否かを検知させる際、
前記入力受付部が前記操作入力を受け付けている場合に、前記通信端末が操作されていると検知させ、
前記入力受付部が前記操作入力を受け付けていない場合に、前記通信端末が操作されていないと検知させる、
請求項１に記載の制御方法。
【請求項４】
前記制御を行う際、
前記プッシュ通知が、前記通信端末において選択、または、閲覧されていない場合、前記通信端末が操作されていないことが検知されているとして、前記プッシュ通知を示す情報を含む通知情報を前記ウェアラブル端末に送信させる制御を行わせる、
請求項２または３に記載の制御方法。
【請求項５】
前記通信端末は、さらに、ネットワークを介して外部サーバと接続可能であり、
前記外部サーバから受信させた前記アプリケーションにおける前記プッシュ通知を前記記憶部に格納させる、
請求項１〜４のいずれか１項に記載の制御方法。
【請求項６】
前記コンピュータに生成させた前記アプリケーションにおける前記プッシュ通知を前記記憶部に格納させる、
請求項１〜４のいずれか１項に記載の制御方法。
【請求項７】
前記制御方法は、さらに、
前記ウェアラブル端末から、前記ウェアラブル端末が前記ユーザに装着されているか否かを示す装着情報を受信させ、
受信した前記装着情報に基づいて、前記ウェアラブル端末が前記ユーザに装着されているか否かを判定させ、
前記制御を行う際、
前記ウェアラブル端末が前記ユーザに装着されていないと判定される場合、前記通信端末が操作されていないことが検知されているときでも、前記通知情報を前記ウェアラブル端末に送信させずに、前記プッシュ通知を示す情報を前記通信端末の通知部に通知させる制御を行わせる、
請求項１〜６のいずれか１項に記載の制御方法。
【請求項８】
前記制御を行う際、
前記ウェアラブル端末が前記ユーザに装着されていると判定され、かつ、前記通信端末が操作されていないことが検知されているときに、前記通知情報を前記ウェアラブル端末に送信させる制御を行わせる、
請求項７に記載の制御方法。
【請求項９】
前記通知情報は、さらに通知強度を示す情報を含み、
前記制御方法は、さらに、
前記ウェアラブル端末から、前記ウェアラブル端末が検知した前記ユーザの生体情報を受信させ、
前記通知情報を前記ウェアラブル端末に送信させる制御を行う際、
受信した前記生体情報に含まれる前記ユーザの活動の程度を示す値が大きいほど、強い通知強度を示す情報を含む前記通知情報を前記ウェアラブル端末に送信させる制御を行わせる、
請求項８に記載の制御方法。
【請求項１０】
前記通知情報は、さらに通知強度を示す情報を含み、
前記制御方法は、さらに、
前記ウェアラブル端末から、前記ウェアラブル端末が検知した前記ウェアラブル端末の加速度情報を受信させ、
前記通知情報を前記ウェアラブル端末に送信させる制御を行う際、
受信した前記加速度情報の示す値が大きいほど、強い通知強度を示す情報を含む前記通知情報を前記ウェアラブル端末に送信させる制御を行わせる、
請求項８に記載の制御方法。
【請求項１１】
前記制御を行う際、さらに、
前記ウェアラブル端末が前記ユーザに装着されていないと判定された後に、前記ウェアラブル端末が前記ユーザに装着されたことを示す前記装着情報を受信し、かつ、前記通信端末が操作されていないことが検知されているときには、前記通知情報を前記ウェアラブル端末に送信させる制御を行わせる、
請求項７に記載の制御方法。
【請求項１２】
前記ウェアラブル端末は、前記ユーザによる操作可否を操作制御可能であり、
前記制御を行う際、さらに、
前記ウェアラブル端末が前記ユーザに装着されていないと判定された後に、前記ウェアラブル端末が前記ユーザに装着されたことを示す前記装着情報、および、前記ウェアラブル端末が操作可の状態に変更されたことを示す操作制御情報を前記ウェアラブル端末から受信し、かつ、前記通信端末が操作されていないことが検知されているときには、前記通知情報を前記ウェアラブル端末に送信させる制御を行わせる、
請求項１１に記載の制御方法。
【請求項１３】
前記制御方法は、さらに、
前記ウェアラブル端末と前記通信端末とがネットワークを介して接続されているか否かを判定させ、
前記制御を行う際、
前記ウェアラブル端末と前記通信端末とが接続されていないと判定される場合には、前記通知情報を前記ウェアラブル端末に送信させずに、前記プッシュ通知を示す情報を前記通信端末の通知部に通知させる制御を行わせ、
当該判定後、前記ウェアラブル端末と前記通信端末とが接続されたと判定され、前記通信端末が操作されていないことが検知されているときには、前記通知情報を前記ウェアラブル端末に送信させる制御を行わせる、
請求項１〜６のいずれか１項に記載の制御方法。
【請求項１４】
前記ウェアラブル端末は、前記ユーザに装着されているか否かを検出可能であり、且つ、前記ユーザに対して情報の報知が可能であり、
前記通知情報に含まれる前記プッシュ通知を示す情報は、前記ウェアラブル端末において、当該ウェアラブル端末が前記ユーザに装着されていることを検出された場合に、前記ユーザに対して報知される、
請求項１〜８のいずれか１項に記載の制御方法。
【請求項１５】
前記ウェアラブル端末は、前記ユーザに対して情報の報知が可能であり、
前記通知情報は、さらに、前記ウェアラブル端末に、前記通知情報に含まれる前記プッシュ通知の示す情報を前記ユーザへ報知させる報知コマンドを含む、
請求項１〜８のいずれか１項に記載の制御方法。
【請求項１６】
前記ウェアラブル端末は、前記ユーザに対して情報の報知が可能であり、
前記通知情報は、さらに、前記通信端末が操作されているか否かを示すフラグ情報を含み、
前記フラグ情報は、前記ウェアラブル端末において、前記通知情報に含まれる前記プッシュ通知の示す情報を前記ユーザへ報知するか否かの判断に用いられる、
請求項１〜８のいずれか１項に記載の制御方法。
【請求項１７】
ユーザの身体の一部に装着可能なウェアラブル端末とネットワークを介して接続可能な通信端末であって、
前記ネットワークを介して前記ウェアラブル端末と通信する通信部と、
前記通信端末が操作されているか否かを検知する検知部と、
前記通信端末に導入されているアプリケーションにおけるプッシュ通知を記憶する記憶部と、
前記アプリケーションにおけるプッシュ通知の示す情報を通知するための通知部と、
前記通信端末が操作されていないことが前記検知部により検知されているときには、前記通信部に、前記記憶部に記憶されている前記プッシュ通知を示す情報を含む通知情報を前記ウェアラブル端末に送信させ、
前記通信端末が操作されていることが前記検知部により検知されているときには、前記通信部に前記通知情報を前記ウェアラブル端末へ送信させずに、前記通知部に前記プッシュ通知の示す情報を通知させる制御部と、を備える、
通信端末。
【請求項１８】
ユーザの身体の一部に装着可能なウェアラブル端末と、前記ウェアラブル端末とネットワークを介して接続可能な通信端末とを含む通信システムであって、
前記通信端末は、
前記ネットワークを介して前記ウェアラブル端末と通信する通信部と、
前記通信端末が操作されているか否かを検知する検知部と、
前記通信端末に導入されているアプリケーションにおけるプッシュ通知を記憶する記憶部と、
前記アプリケーションにおけるプッシュ通知の示す情報を通知するための通知部と、
前記通信端末が操作されていないことが前記検知部により検知されているときには、前記通信部に、前記記憶部に記憶されている前記プッシュ通知を示す情報を含む通知情報を前記ウェアラブル端末に送信させ、
前記通信端末が操作されていることが前記検知部により検知されているときには、前記通信部に前記通知情報を前記ウェアラブル端末に送信させずに、前記通知部に前記プッシュ通知の示す情報を通知させる制御部と、を備える、
通信システム。
【請求項１９】
請求項１８に記載の通信システムを構成する、ユーザの身体の一部に装着可能なウェアラブル端末であって、
前記通知情報を受信したときに、前記通知情報を前記ユーザに対して報知する、
ウェアラブル端末。
【請求項２０】
ユーザの身体の一部に装着可能なウェアラブル端末とネットワークを介して接続可能な通信端末のコンピュータを制御するためのプログラムであって、
前記通信端末に導入されているアプリケーションにおけるプッシュ通知を前記通信端末の記憶部に格納させ、
前記通信端末が操作されているか否かを検知させ、
前記通信端末が操作されていないことが検知されているときには、前記プッシュ通知を示す情報を含む通知情報を前記ウェアラブル端末に送信させる制御を行わせ、
前記通信端末が操作されていることが検知されているときには、前記通知情報を前記ウェアラブル端末に送信させずに、前記プッシュ通知を示す情報を前記通信端末の通知部に通知させる制御を行わせる、
ことを前記コンピュータに実行させるためのプログラム。
【発明の詳細な説明】
【技術分野】
【０００１】
本発明は、制御方法、通信端末、通信システムおよびプログラムに関する。
【背景技術】
【０００２】
腕や頭部などのユーザの身体の一部に装着可能なウェアラブル端末が知られている。ウェアラブル端末は通信機能を備えており、スマートフォン等の通信端末と通信を行うことができる。
【０００３】
例えば、特許文献１には、ユーザが所有する情報処理装置を介して、ユーザが装着しているウェアラブル端末によりメッセージの送受信ができる技術について開示されている。
【０００４】
この特許文献１によれば、例えばメッセージの受信やアプリの通知など、スマートフォン等の通信端末で通知されるイベントが発生した場合、当該通信端末とペアリングしているウェアラブル端末にも通知される。それにより、ユーザは当該通信端末を一々確認せずとも、ウェアラブル端末による通知を確認するだけで内容を簡単に把握することができる。
【先行技術文献】
【特許文献】
【０００５】
【特許文献１】特開２０１５−４１８２９号公報
【発明の概要】
【発明が解決しようとする課題】
【０００６】
しかしながら、ウェアラブル端末は腕や頭部等のユーザの身体の一部に装着して使用するため、音や振動による通知がウェアラブル端末に行われると、ウェアラブル端末を装着するユーザが当該通知に過敏に反応してしまう場合がある。つまり、特許文献１に開示される技術では、音や振動による通知がウェアラブル端末に行われることで、ユーザの活動をかえって妨げてしまうという問題がある。
【０００７】
また、ウェアラブル端末は小型軽量化を実現するために充分な容量の電池が搭載できていないという状況がある。そのため、ユーザの活動を妨げてしまうような通知はユーザにとって不要であるばかりか、当該電池を無駄に消耗させてしまうという問題がある。
【０００８】
本発明は、上記の問題点に着目したものであり、ユーザの活動を妨げることを抑制するとともに、ウェアラブル端末の電池の消耗を抑制することができる通信端末の制御方法、通信端末、通信システムおよびプログラムを提供することを目的とする。
【課題を解決するための手段】
【０００９】
本発明の一形態に係る通信端末の制御方法は、ユーザの身体の一部に装着可能なウェアラブル端末とネットワークを介して接続可能な通信端末の制御を前記通信端末のコンピュータに行わせる制御方法であって、前記通信端末に導入されているアプリケーションにおけるプッシュ通知を前記通信端末の記憶部に格納させ、前記通信端末が操作されているか否かを検知させ、前記通信端末が操作されていないことが検知されているときには、前記プッシュ通知を示す情報を含む通知情報を前記ウェアラブル端末に送信させる制御を行わせ、前記通信端末が操作されていることが検知されているときには、前記通知情報を前記ウェアラブル端末に送信させずに、前記プッシュ通知を示す情報を前記通信端末の通知部に通知させる制御を行わせる。
【発明の効果】
【００１０】
本発明によれば、ユーザの活動を妨げることを抑制するとともに、ウェアラブル端末の電池の消耗を抑制することができる通信端末の制御方法等を実現できる。
【図面の簡単な説明】
【００１１】
【図１】図１は、実施の形態に係る通信システムの全体構成の一例を示す図である。
【図２】図２は、実施の形態に係る通信システムの全体構成の別の一例を示す図である。
【図３】図３は、実施の形態に係る通信端末の機能をソフトウェアにより実現するコンピュータのハードウェア構成の一例を示す図である。
【図４】図４は、実施の形態に係る通信端末の構成を示す機能ブロック図である。
【図５】図５は、図４に示す制御部の詳細構成を示す機能ブロック図である。
【図６】図６は、実施の形態におけるアプリケーションにおけるプッシュ通知について説明するための図である。
【図７】図７は、実施の形態に係る通信端末の動作例を示すフローチャートである。
【図８】図８は、実施の形態に係る通信端末の別の動作例を示すシーケンス図である。
【図９】図９は、図８に示す通信端末の動作例を示すフローチャートである。
【図１０】図１０は、実施の形態に係る通信端末のさらに別の動作例を示すシーケンス図である。
【発明を実施するための形態】
【００１２】
本発明の一態様に係る制御方法は、ユーザの身体の一部に装着可能なウェアラブル端末とネットワークを介して接続可能な通信端末の制御を前記通信端末のコンピュータに行わせる制御方法であって、前記通信端末に導入されているアプリケーションにおけるプッシュ通知を前記通信端末の記憶部に格納させ、前記通信端末が操作されているか否かを検知させ、前記通信端末が操作されていないことが検知されているときには、前記プッシュ通知を示す情報を含む通知情報を前記ウェアラブル端末に送信させる制御を行わせ、前記通信端末が操作されていることが検知されているときには、前記通知情報を前記ウェアラブル端末に送信させずに、前記プッシュ通知を示す情報を前記通信端末の通知部に通知させる制御を行わせる。
【００１３】
これにより、ユーザが通信端末を操作中にはユーザは当該通信端末でプッシュ通知を確認できるので、ユーザが通信端末を操作している間においてさらにウェアラブル端末を介してプュシュ通知がなされることを防ぐことができる。それにより、ウェアラブル端末を装着しているユーザの活動を妨げることを抑制するとともに、ウェアラブル端末の電池の消耗を抑制することができる。
【００１４】
ここで、例えば、前記通信端末は、ディスプレイを備え、前記通信端末が操作されているか否かを検知させる際、前記ディスプレイに情報が表示されている場合に、前記通信端末が操作されていると検知させ、前記ディスプレイに情報が表示されていない場合に、前記通信端末が操作されていないと検知させてもよい。
【００１５】
また、例えば、前記通信端末は、さらに、ユーザの操作入力を受け付ける入力受付部を備え、前記通信端末が操作されているか否かを検知させる際、前記入力受付部が前記操作入力を受け付けている場合に、前記通信端末が操作されていると検知させ、前記入力受付部が前記操作入力を受け付けていない場合に、前記通信端末が操作されていないと検知させてもよい。
【００１６】
また、例えば、前記制御を行う際、前記プッシュ通知が、前記通信端末において選択、または、閲覧されていない場合、前記通信端末が操作されていないことが検知されているとして、前記プッシュ通知を示す情報を含む通知情報を前記ウェアラブル端末に送信させる制御を行わせてもよい。
【００１７】
また、例えば、前記通信端末は、さらに、ネットワークを介して外部サーバと接続可能であり、前記外部サーバから受信させた前記アプリケーションにおける前記プッシュ通知を前記記憶部に格納させてもよい。
【００１８】
また、例えば、前記コンピュータに生成させた前記アプリケーションにおける前記プッシュ通知を前記記憶部に格納させてもよい。
【００１９】
また、例えば、前記制御方法は、さらに、前記ウェアラブル端末から、前記ウェアラブル端末が前記ユーザに装着されているか否かを示す装着情報を受信させ、受信した前記装着情報に基づいて、前記ウェアラブル端末が前記ユーザに装着されているか否かを判定させ、前記制御を行う際、前記ウェアラブル端末が前記ユーザに装着されていないと判定される場合、前記通信端末が操作されていないことが検知されているときでも、前記通知情報を前記ウェアラブル端末に送信させずに、前記プッシュ通知を示す情報を前記通信端末の通知部に通知させる制御を行わせてもよい。
【００２０】
これにより、ウェアラブル端末を装着していない場合にウェアラブル端末に対してプュシュ通知がなされることを防ぐことができるので、ウェアラブル端末の電池の消耗を抑制することができる。
【００２１】
また、例えば、前記制御を行う際、前記ウェアラブル端末が前記ユーザに装着されていると判定され、かつ、前記通信端末が操作されていないことが検知されているときに、前記通知情報を前記ウェアラブル端末に送信させる制御を行わせてもよい。
【００２２】
また、例えば、前記通知情報は、さらに通知強度を示す情報を含み、前記制御方法は、さらに、前記ウェアラブル端末から、前記ウェアラブル端末が検知した前記ユーザの生体情報を受信させ、前記通知情報を前記ウェアラブル端末に送信させる制御を行う際、受信した前記生体情報に含まれる前記ユーザの活動の程度を示す値が大きいほど、強い通知強度を示す情報を含む前記通知情報を前記ウェアラブル端末に送信させる制御を行わせてもよい。
【００２３】
これにより、ウェアラブル端末を装着するユーザが運動中や緊張中である場合、プッシュ通知を報知されても気づかない（認識できない）ということを防止できる。つまり、ウェアラブル端末を装着するユーザが運動中や緊張中であっても、ユーザに、プッシュ通知を認識させることができる。
【００２４】
また、例えば、前記通知情報は、さらに通知強度を示す情報を含み、前記制御方法は、さらに、前記ウェアラブル端末から、前記ウェアラブル端末が検知した前記ウェアラブル端末の加速度情報を受信させ、前記通知情報を前記ウェアラブル端末に送信させる制御を行う際、受信した前記加速度情報の示す値が大きいほど、強い通知強度を示す情報を含む前記通知情報を前記ウェアラブル端末に送信させる制御を行わせてもよい。
【００２５】
これにより、ウェアラブル端末を装着するユーザが運動中や緊張中であり、プッシュ通知を報知されても気づかない（認識できない）ということを防止できる。つまり、ウェアラブル端末を装着するユーザが運動中や緊張中であっても、ユーザに、プッシュ通知を認識させることができる。
【００２６】
また、例えば、前記制御を行う際、さらに、前記ウェアラブル端末が前記ユーザに装着されていないと判定された後に、前記ウェアラブル端末が前記ユーザに装着されたことを示す前記装着情報を受信し、かつ、前記通信端末が操作されていないことが検知されているときには、前記通知情報を前記ウェアラブル端末に送信させる制御を行わせてもよい。
【００２７】
これにより、ウェアラブル端末がユーザに装着されていないときにはウェアラブル端末に対してプッシュ通知を送信するのを抑制しつつも、ウェアラブル端末がユーザに装着されたタイミング、すなわちユーザがウェアラブル端末による報知内容を認識可能になったタイミングで、ウェアラブル端末に対してプッシュ通知を送信することができる。
【００２８】
また、例えば、前記ウェアラブル端末は、前記ユーザによる操作可否を操作制御可能であり、前記制御を行う際、さらに、前記ウェアラブル端末が前記ユーザに装着されていないと判定された後に、前記ウェアラブル端末が前記ユーザに装着されたことを示す前記装着情報、および、前記ウェアラブル端末が操作可の状態に変更されたことを示す操作制御情報を前記ウェアラブル端末から受信し、かつ、前記通信端末が操作されていないことが検知されているときには、前記通知情報を前記ウェアラブル端末に送信させる制御を行わせてもよい。
【００２９】
これにより、通信端末は、ウェアラブル端末がユーザに装着されていないときにはウェアラブル端末に対してプッシュ通知を送信するのを抑制することができる。一方で、ユーザが認識可能なタイミングで、言い換えれば、ウェアラブル端末がユーザに装着され、かつ、ウェアラブル端末のロックが解除されてプッシュ通知を示す情報を受信可能になったタイミングで、ウェアラブル端末に対してプッシュ通知を送信することができる。
【００３０】
また、例えば、前記制御方法は、さらに、前記ウェアラブル端末と前記通信端末とがネットワークを介して接続されているか否かを判定させ、前記制御を行う際、前記ウェアラブル端末と前記通信端末とが接続されていないと判定される場合には、前記通知情報を前記ウェアラブル端末に送信させずに、前記プッシュ通知を示す情報を前記通信端末の通知部に通知させる制御を行わせ、当該判定後、前記ウェアラブル端末と前記通信端末とが接続されたと判定され、前記通信端末が操作されていないことが検知されているときには、前記通知情報を前記ウェアラブル端末に送信させる制御を行わせてもよい。
【００３１】
これにより、ウェアラブル端末と通信端末との間で接続が確立されていないときにはウェアラブル端末に対してプッシュ通知を送信するのを抑制しつつも、ウェアラブル端末と通信端末との間で接続が確立されてユーザがウェアラブル端末による報知内容を認識可能になったタイミングで、ウェアラブル端末に対してプッシュ通知を送信することができる。
【００３２】
また、例えば、前記ウェアラブル端末は、前記ユーザに装着されているか否かを検出可能であり、且つ、前記ユーザに対して情報の報知が可能であり、前記通知情報に含まれる前記プッシュ通知を示す情報は、前記ウェアラブル端末において、当該ウェアラブル端末が前記ユーザに装着されていることを検出された場合に、前記ユーザに対して報知されてもよい。
【００３３】
また、例えば、前記ウェアラブル端末は、前記ユーザに対して情報の報知が可能であり、前記通知情報は、さらに、前記ウェアラブル端末に、前記通知情報に含まれる前記プッシュ通知の示す情報を前記ユーザへ報知させる報知コマンドを含むとしてもよい。
【００３４】
また、例えば、前記ウェアラブル端末は、前記ユーザに対して情報の報知が可能であり、前記通知情報は、さらに、前記通信端末が操作されているか否かを示すフラグ情報を含み、前記フラグ情報は、前記ウェアラブル端末において、前記通知情報に含まれる前記プッシュ通知の示す情報を前記ユーザへ報知するか否かの判断に用いられるとしてもよい。
【００３５】
また、本発明の一態様に係る通信端末は、例えば、ユーザの身体の一部に装着可能なウェアラブル端末とネットワークを介して接続可能な通信端末であって、前記ネットワークを介して前記ウェアラブル端末と通信する通信部と、前記通信端末が操作されているか否かを検知する検知部と、前記通信端末に導入されているアプリケーションにおけるプッシュ通知を記憶する記憶部と、前記アプリケーションにおけるプッシュ通知の示す情報を通知するための通知部と、前記通信端末が操作されていないことが前記検知部により検知されているときには、前記通信部に、前記記憶部に記憶されている前記プッシュ通知を示す情報を含む通知情報を前記ウェアラブル端末に送信させ、前記通信端末が操作されていることが前記検知部により検知されているときには、前記通信部に前記通知情報を前記ウェアラブル端末へ送信させずに、前記通知部に前記プッシュ通知の示す情報を通知させる制御部と、を備える。
【００３６】
また、本発明の一態様に係る通信システムは、例えば、ユーザの身体の一部に装着可能なウェアラブル端末と、前記ウェアラブル端末とネットワークを介して接続可能な通信端末とを含む通信システムであって、前記通信端末は、前記ネットワークを介して前記ウェアラブル端末と通信する通信部と、前記通信端末が操作されているか否かを検知する検知部と、前記通信端末に導入されているアプリケーションにおけるプッシュ通知を記憶する記憶部と、前記アプリケーションにおけるプッシュ通知の示す情報を通知するための通知部と、前記通信端末が操作されていないことが前記検知部により検知されているときには、前記通信部に、前記記憶部に記憶されている前記プッシュ通知を示す情報を含む通知情報を前記ウェアラブル端末に送信させ、前記通信端末が操作されていることが前記検知部により検知されているときには、前記通信部に前記通知情報を前記ウェアラブル端末に送信させずに、前記通知部に前記プッシュ通知の示す情報を通知させる制御部と、を備える。
【００３７】
ここで、例えば、本発明の一態様に係る通信システムを構成するユーザの身体の一部に装着可能なウェアラブル端末は、前記通知情報を受信したときに、前記通知情報を前記ユーザに対して報知するとしてもよい。
【００３８】
なお、以下で説明する実施の形態は、いずれも本発明の一具体例を示すものである。以下の実施の形態で示される数値、形状、構成要素、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。また全ての実施の形態において、各々の内容を組み合わせることもできる。
【００３９】
（実施の形態）
［全体構成］
まず、本実施の形態に係る通信システム１の全体構成について説明する。図１は、本実施の形態に係る通信システムの全体構成の一例を示す図である。図２は、本実施の形態に係る通信システムの全体構成の別の一例を示す図である。
【００４０】
図１に示される通信システム１は、通信端末１０と、ウェアラブル端末１１とを備える。なお、通信システム１は、図２に示すような通信システム１Ａでもよい。つまり、通信システム１Ａに示すように、通信端末１０は、外部サーバ１５と通信可能であるとしてもよい。外部サーバ１５は、通信システム１Ａの構成であってもなくてもどちらでも構わない。
【００４１】
図１および図２には、ユーザの腕１２にバンド型（腕時計型）の機器としてのウェアラブル端末１１が装着されている例が示されている。
【００４２】
ウェアラブル端末１１は、ユーザの身体の一部に装着可能な機器であり、ネットワーク１３を介して通信端末１０と接続可能である。ウェアラブル端末１１は、ユーザに対して情報の報知が可能である。また、ウェアラブル端末１１は、ユーザに装着されているか否かを検出可能であってもよい。ウェアラブル端末１１の報知方法は、例えば、ウェアラブル端末１１がディスプレイを有する場合には、報知対象の情報を表示する。また、ウェアラブル端末１１がスピーカ機構を有する場合には、報知対象の情報があることや報知対象の情報そのものを音で発してもよい。ウェアラブル端末１１がバイブレーション機構を有する場合には、振動により報知してもよい。
【００４３】
なお、ウェアラブル端末１１は、図１および図２に示されるようなバンド型（腕時計型）の機器に限らない。ウェアラブル端末１１は、メガネ型の機器であってもよく、ヘッドマウント型の機器であってもよい。つまり、ウェアラブル端末１１は、ユーザの身体の一部に装着可能な機器であり、ユーザに対して情報の報知が可能であればどのような機器であってもよい。
【００４４】
ネットワーク１３は、例えばbluetooth（登録商標）、wifiなどの無線通信ネットワークである。
【００４５】
通信端末１０は、例えばスマートフォンやタブレットなど、ユーザが携帯可能なコンピュータであり、ウェアラブル端末１１とネットワーク１３を介して接続可能である。以下では、通信端末１０は、タッチパネルディスプレイ１０６ａを有するスマートフォンであるとして説明する。詳細は後述するが、例えば、通信端末１０は、自端末（通信端末１０）に導入されているアプリケーションにおけるプッシュ通知をタッチパネルディスプレイ１０６ａに表示させたり、当該プッシュ通知をウェアラブル端末１１に送信したりする。図１に示す例では、通信端末１０は、特定のアプリケーションにおけるプッシュ通知を自端末（通信端末１０）で生成する。なお、通信端末１０は、さらに、図２に示すように、ネットワーク１４を介して、外部サーバ１５と接続可能であるとしてもよい。この場合、通信端末１０は、当該プッシュ通知は外部サーバ１５から受信する。
【００４６】
ネットワーク１４は、例えばインターネットやwifiである。外部サーバ１５は、通信端末１０の特定のアプリケーションにおけるプッシュ通知を生成して、ネットワーク１４を介して通信端末１０に送信する。
【００４７】
［通信端末１０の構成］
以下、通信端末１０について詳細に説明する。
【００４８】
まず、図３を用いて通信端末１０のハードウェア構成について説明する。
【００４９】
図３は、本実施の形態に係る通信端末１０の機能をソフトウェアにより実現するコンピュータのハードウェア構成の一例を示す図である。
【００５０】
通信端末１０は、図３に示すように、入力装置１００１、出力装置１００２、ＣＰＵ１００３、内蔵ストレージ１００４、ＲＡＭ１００５、読取装置１００７、送受信装置１００８およびバス１００９を備えるコンピュータである。入力装置１００１、出力装置１００２、ＣＰＵ１００３、内蔵ストレージ１００４、ＲＡＭ１００５、読取装置１００７および送受信装置１００８は、バス１００９により接続される。
【００５１】
入力装置１００１は入力ボタン、タッチパッド、タッチパネルディスプレイなどといったユーザインタフェースとなる装置であり、ユーザの操作を受け付ける。なお、入力装置１００１は、ユーザの接触操作を受け付ける他、音声での操作、リモコン等での遠隔操作を受け付ける構成であってもよい。
【００５２】
内蔵ストレージ１００４は、フラッシュメモリなどである。また、内蔵ストレージ１００４は、通信端末１０の機能を実現するためのプログラムや通信端末１０の機能構成を利用したアプリケーションが、予め記憶されているとしてもよい。
【００５３】
ＲＡＭ１００５は、Random Access Memoryであり、プログラムやアプリケーションの実行に際してデータ等の記憶に利用される。
【００５４】
読取装置１００７は、ＵＳＢ（Universal Serial Bus）メモリなどの記録媒体から情報を読み取る。読取装置１００７は、上記のようなプログラムやアプリケーションが記録された記録媒体からそのプログラムやアプリケーションを読み取り、内蔵ストレージ１００４に記憶させる。
【００５５】
送受信装置１００８は、無線又は有線で通信を行うための通信回路である。送受信装置１００８は、例えばネットワークに接続されたサーバ装置と通信を行い、サーバ装置から上記のようなプログラムやアプリケーションをダウンロードして内蔵ストレージ１００４に記憶させる。
【００５６】
ＣＰＵ１００３は、Central Processing Unitであり、内蔵ストレージ１００４に記憶されたプログラムやアプリケーションをＲＡＭ１００５にコピーし、そのプログラムやアプリケーションに含まれる命令をＲＡＭ１００５から順次読み出して実行する。
【００５７】
次に、図４および図５を用いて通信端末１０の各機能構成要素について説明する。
【００５８】
図４は、本実施の形態に係る通信端末１０の構成を示す機能ブロック図である。図５は、図４に示す制御部１０１の詳細構成を示す機能ブロック図である。
【００５９】
通信端末１０は、図４に示されるように、制御部１０１と、通信部１０２と、記憶部１０３と、検知部１０４と、通知部１０５と、入力受付部１０６とを備える。
【００６０】
通信部１０２は、ＣＰＵ１００３および送受信装置１００８等により実現され、ネットワーク１３を介してウェアラブル端末１１と通信する機能を有する。なお、通信部１０２は、図２に示す外部サーバ１５と、ネットワーク１４を介して通信する機能を有するとしてもよい。本実施の形態では、通信部１０２は、ネットワーク１３を介してウェアラブル端末１１と通信可能であり、ウェアラブル端末１１から、ウェアラブル端末１１がユーザに装着されているか否かを示す装着情報を受信する。なお、通信部１０２は、ネットワーク１４を介して外部サーバ１５と通信可能であり、外部サーバ１５から、通信端末１０に導入（インストール）されているアプリケーションにおけるプッシュ通知または当該プッシュ通知を生成する命令を受信するとしてもよい。
【００６１】
また、通信部１０２は、制御部１０１に制御され、記憶部１０３に記憶されているプッシュ通知を示す情報を含む通知情報をウェアラブル端末１１に送信する。
【００６２】
記憶部１０３は、内蔵ストレージ１００４などで実現され、自端末（通信端末１０）に導入されているアプリケーションにおけるプッシュ通知を記憶する機能を有する。本実施の形態では、記憶部１０３は、自端末（通信端末１０）が生成したプッシュ通知が格納され、記憶している。なお、記憶部１０３は、通信端末１０が当該プッシュ通知を外部サーバ１５から受信した場合には、受信した当該プッシュ通知が格納（記憶）される。
【００６３】
ここで、図６を用いて、記憶部１０３に記憶されているアプリケーションにおけるプッシュ通知について説明する。図６は、本実施の形態におけるアプリケーションにおけるプッシュ通知について説明するための図である。
【００６４】
プッシュ通知は、ユーザが通信端末１０のアプリケーションを起動していなくとも、事前にユーザに許可されている内容をアプリケーションからユーザに通知される仕組みをいう。本実施の形態では、通信端末１０には、少なくともアプリＡおよびアプリＢの複数のアプリケーションが導入されており、図６に示される例では、アプリＡにおけるプッシュ通知の内容であるメッセージ、友達申請、お知らせのうち、メッセージおよび友達申請が事前にユーザに許可されている。同様に、図６に示される例では、アプリＢにおけるプッシュ通知の内容であるアラーム、リマインダ、アップデート情報、お知らせのうち、リマインダおよびアップデート情報が事前にユーザに許可されている。
【００６５】
通知部１０５は、アプリケーションにおけるプッシュ通知の示す情報を通知するための機能を有する。本実施の形態では、通知部１０５は、タッチパネルディスプレイ１０６ａであり、例えば、プッシュ通知を示す情報を表示する。
【００６６】
なお、通知部１０５は、タッチパネルディスプレイ１０６ａである場合に限らない。例えばディスプレイでありプッシュ通知を示す情報を表示してもよいし、バイブレーション機能を有しプッシュ通知を示す情報をバイブレーションで通知するとしてもよいし、音発生機能を有しプッシュ通知を示す情報を音で通知するとしてもよい。
【００６７】
入力受付部１０６は、ユーザの操作入力を受け付ける機能を有する。本実施の形態では、入力受付部１０６は、タッチパネルディスプレイ１０６ａである。
【００６８】
検知部１０４は、自端末（通信端末１０）が操作されているか否かを検知する。本実施の形態では、例えば、検知部１０４は、自端末（通信端末１０）のタッチパネルディスプレイ１０６ａに情報が表示されている場合に、通信端末１０が操作されていると検知し、タッチパネルディスプレイ１０６ａに情報が表示されていない場合に、通信端末１０は操作されていないと検知する。また、例えば検知部１０４は、入力受付部１０６がユーザの操作入力を受け付けている場合に通信端末１０が操作されていると検知し、入力受付部１０６が操作入力を受け付けていない場合に、通信端末１０が操作されていないと検知する。
【００６９】
制御部１０１は、通信部１０２、記憶部１０３、検知部１０４、通知部１０５および入力受付部１０６を制御する機能を有する。
【００７０】
制御部１０１は、通信端末１０（自端末）が操作されていないことが検知部１０４により検知されているときには、通信部１０２に、記憶部１０３に記憶されているプッシュ通知を示す情報を含む通知情報をウェアラブル端末１１に送信させる。また、制御部１０１は、通信端末が操作されていることが検知部１０４により検知されているときには、通信部１０２に通知情報をウェアラブル端末１１へ送信させずに、通知部１０５にプッシュ通知の示す情報を通知させる。本実施の形態では、制御部１０１は、図５に示されるように、判定部１０１１と、通信制御部１０１２と、本来機能部１０１３とを備える。
【００７１】
本来機能部１０１３は、通話機能や通信機能など通信端末１０の本来の機能を発揮する制御を行う機能構成である。なお、本実施の形態では、本来機能部１０１３は、通信部１０２で当該プッシュ通知を生成する命令を受信したときに当該プッシュ通知を生成して記憶部１０３に格納したり、タイマー機能やカレンダ機能による予定時刻に当該プッシュ通知を用いるため当該プッシュ通知を予め生成して記憶部１０３に格納しておいたりする。
【００７２】
判定部１０１１は、ウェアラブル端末１１がユーザに装着されているか否かを判定する。例えば、判定部１０１１は、通信部１０２でウェアラブル端末１１がユーザに装着されているか否かを示す装着情報を受信する場合、受信した装着情報に基づいて、ウェアラブル端末１１がユーザに装着されているか否かを判定すればよい。
【００７３】
通信制御部１０１２は、判定部１０１１によりウェアラブル端末１１がユーザに装着されていないと判定される場合、検知部１０４により通信端末１０が操作されていないことが検知されているときでも、通知情報をウェアラブル端末１１に送信させずに、プッシュ通知を示す情報を通信端末１０の通知部１０５に通知させる制御を行えばよい。また、通信制御部１０１２は、判定部１０１１によりウェアラブル端末１１がユーザに装着されていると判定され、かつ、検知部１０４により通信端末１０が操作されていないことが検知されているときには、通知情報をウェアラブル端末１１に送信させる制御を行えばよい。
【００７４】
なお、通信制御部１０１２は、記憶部１０３で記憶されているプッシュ通知（通信部１０２で受信したプッシュ通知または制御部１０１で生成されたプッシュ通知）が、通信端末１０において選択、または、閲覧されていない場合、通信端末１０が操作されていないと検知するとして、プッシュ通知を示す情報を含む通知情報をウェアラブル端末１１に送信させる制御を行うとしてもよい。ここで、通信端末１０で選択または閲覧されている場合とは、例えばプッシュ通知が通信端末１０のタッチパネルディスプレイ１０６ａで既に読まれた場合や、プッシュ通知が通信端末１０のタッチパネルディスプレイ１０６ａに既に表示されている場合、プッシュ通知を行うアプリケーションが起動されている場合などである。
【００７５】
［通信端末１０の動作］
次に、以上のように構成される通信端末１０の動作例を、図７〜図９を用いて説明する。
【００７６】
図７は、本実施の形態に係る通信端末１０の動作例を示すフローチャートである。以下、図７に即して通信端末１０の動作を説明する。
【００７７】
まず、通信端末１０は、通信端末に導入されているアプリケーションにおけるプュシュ通知を取得（受信または生成）した場合（Ｓ１１でＹｅｓ）、通信端末１０に導入されているアプリケーションにおけるプッシュ通知を通信端末１０の記憶部１０３に格納する（Ｓ１３）。ここで、プッシュ通知の取得方法は、上述したように、通信部１０２が、ネットワーク１４を介して外部サーバ１５から受信することで取得するとしてもよいし、制御部１０１がアプリケーションにおけるプッシュ通知を生成することで取得するとしてもよい。
【００７８】
次に、通信端末１０は、自端末（通信端末１０）が操作されているか否かを検知する（Ｓ１５）。
【００７９】
通信端末１０は、自端末（通信端末１０）が操作されていることが検知されているときには（Ｓ１５でＹｅｓ）、当該通知情報をウェアラブル端末１１に送信させずに、Ｓ１３で記憶部１０３に格納したプッシュ通知を示す情報を通信端末１０の通知部１０５に通知させる制御を行う（Ｓ１９）。一方、通信端末１０は、自端末（通信端末１０）が操作されていないことが検知されているときには（Ｓ１５でＮｏ）、Ｓ１３で記憶部１０３に格納したプッシュ通知を示す情報を含む通知情報をウェアラブル端末１１に送信させる制御を行う（Ｓ１７）。
【００８０】
なお、図７に示す動作例では、ウェアラブル端末１１がユーザに実際に装着されているかどうかを判定せずにプッシュ通知する例を説明したが、ウェアラブル端末１１がユーザに実際に装着されているかどうかを判定した上で、プッシュ通知を行ってもよい。以下、図８および図９を用いてこの場合の動作例について説明する。
【００８１】
図８は、本実施の形態に係る通信端末１０の別の動作例を示すシーケンス図である。図９は、図８に示す通信端末１０の動作例を示すフローチャートである。なお、図８のシーケンス図では、通信端末１０は外部サーバ１５からプッシュ通知を受信する場合について示されている。また、図７と同様の要素には同一の符号を付している。
【００８２】
まず、外部サーバ１５は、通信端末１０のあるアプリケーションにおけるプッシュ通知を送信する（図８のＳ２０）。
【００８３】
すると、通信端末１０は、通信端末に導入されているアプリケーションにおけるプュシュ通知を取得（受信）するので（図９のＳ１１でＹｅｓ）、通信端末１０に導入されているアプリケーションにおけるプッシュ通知を通信端末１０の記憶部１０３に格納する（Ｓ１３）。
【００８４】
次に、通信端末１０は、自端末（通信端末１０）が操作されているか否かを検知する（Ｓ１５）。
【００８５】
通信端末１０は、自端末（通信端末１０）が操作されていないことが検知されているときには（Ｓ１５でＮｏ）、さらに、ウェアラブル端末装着判断処理（Ｓ２６）を行う。より具体的には、Ｓ２６において、通信端末１０は、ウェアラブル端末１１から、ウェアラブル端末が１１ユーザに装着されているか否かを示す装着情報を受信し（Ｓ２６１）、受信した装着情報に基づいて、ウェアラブル端末１１がユーザに装着されているか否かを判定する（Ｓ２６２）。
【００８６】
Ｓ２６２において、通信端末１０は、ウェアラブル端末１１がユーザに装着されていると判定したとき（Ｓ２６２でＹｅｓ）、Ｓ１３で記憶部１０３に格納したプッシュ通知を示す情報を含む通知情報をウェアラブル端末１１に送信させる制御を行う。すると、プッシュ通知を示す情報を含む通知情報を受信したウェアラブル端末１１は、プッシュ通知を示す情報をユーザに対して報知する（Ｓ１７１）。
【００８７】
なお、通信端末１０は、自端末（通信端末１０）が操作されていることが検知されているとき（Ｓ１５でＹｅｓ）、または、ウェアラブル端末１１がユーザに装着されていないと判定したとき（Ｓ２６２でＮｏ）には、当該通知情報をウェアラブル端末１１に送信させずに、Ｓ１３で記憶部１０３に格納したプッシュ通知を示す情報を通信端末１０の通知部１０５に通知させる制御を行う（Ｓ１９）。
【００８８】
また、図８および図９に示す動作例では、通信端末１０により、ウェアラブル端末１１がユーザに実際に装着されているかどうかを判定するとして説明したがそれに限らない。ウェアラブル端末１１自身がユーザに実際に装着されているかどうかを判定するとしてもよい。この場合の動作例について図１０を用いて説明する。
【００８９】
図１０は、本実施の形態に係る通信端末１０のさらに別の動作例を示すシーケンス図である。なお、図１０のシーケンス図では、図８の場合と同様に、通信端末１０は外部サーバ１５からプッシュ通知を受信する場合について示されている。また、図８と同様の要素には同一の符号を付しており、詳細な説明は省略する。つまり、Ｓ２０、Ｓ１３、Ｓ１５、Ｓ１７およびＳ１９の処理は図８で示した通りであるのでここでの説明は省略する。
【００９０】
Ｓ１５において、通信端末１０は、自端末（通信端末１０）が操作されていないことが検知されているときには（Ｓ１５でＮｏ）、さらに、ウェアラブル端末装着判定処理（Ｓ３６）を行う。
【００９１】
より具体的には、Ｓ３６において、まず、通信端末１０は、フラグ情報または報知コマンドを含む通知情報を生成し（Ｓ３６１）、ウェアラブル端末１１に対して送信する（Ｓ３６２）。ここで、フラグ情報は、通信端末１０が操作されているか否かを示し、ウェアラブル端末１１において記通知情報に含まれるプッシュ通知の示す情報をユーザへ報知するか否かの判断に用いられる。図１０に示す例では、当該フラグ情報は、通信端末１０が操作されていないことを示している。また、報知コマンドは、ウェアラブル端末１１に、通知情報に含まれるプッシュ通知の示す情報をユーザへ報知させるコマンドである。
【００９２】
次に、ウェアラブル端末１１は、自身（ウェアラブル端末１１）がユーザに装着されているか否かを判定する（Ｓ３６３）。より具体的には、ウェアラブル端末１１は、報知コマンドまたは通信端末１０が操作されていないことを示すフラグ情報を含む通知情報を受信したときに、ウェアラブル端末１１（自身）がユーザに装着されているか否かを検出することで判定する。
【００９３】
そして、ウェアラブル端末１１（自身）がユーザに装着されていると判定した場合（Ｓ３６３でＹｅｓ）、ウェアラブル端末１１は、プッシュ通知を示す情報をユーザに対して報知する（Ｓ１７１）。
【００９４】
なお、ウェアラブル端末１１（自身）がユーザに装着されていないと判定した場合（Ｓ３６３でＮｏ）、ウェアラブル端末１１は、通信端末１０に対して、ウェアラブル端末１１がユーザに装着されていないことを示す装着情報を送信する（Ｓ３６４）。この場合、通信端末１０は、ウェアラブル端末１１がユーザに装着されていないことを示す装着情報を受信すると（Ｓ３６５）、Ｓ１３で記憶部１０３に格納したプッシュ通知を示す情報を通信端末１０の通知部１０５に通知させる制御を行う（Ｓ１９）。
【００９５】
［効果等］
上述したように、本発明の一態様に係る制御方法は、ユーザの身体の一部に装着可能なウェアラブル端末１１とネットワークを介して接続可能な通信端末１０の制御を通信端末１０のコンピュータに行わせる制御方法であって、通信端末１０に導入されているアプリケーションにおけるプッシュ通知を通信端末１０の記憶部１０３に格納させ、通信端末１０が操作されているか否かを検知させ、通信端末１０が操作されていないことが検知されているときには、当該プッシュ通知を示す情報を含む通知情報をウェアラブル端末１１に送信させる制御を行わせ、通信端末１０が操作されていることが検知されているときには、通知情報をウェアラブル端末１１に送信させずに、当該プッシュ通知を示す情報を通信端末１０の通知部１０５に通知させる制御を行わせる。
【００９６】
これにより、ユーザが通信端末１０を操作中ユーザは当該通信端末１０でプッシュ通知を確認できるので、ユーザが通信端末１０を操作している間にウェアラブル端末１１を介してプュシュ通知がなされることを防ぐことができる。それにより、ウェアラブル端末１１を装着しているユーザの活動を妨げることを抑制するとともに、ウェアラブル端末１１の電池の消耗を抑制することができる。
【００９７】
ここで、本発明の一態様に係る制御方法は、さらに、ウェアラブル端末１１から、ウェアラブル端末１１がユーザに装着されているか否かを示す装着情報を受信させ、受信した当該装着情報に基づいて、ウェアラブル端末１１がユーザに装着されているか否かを判定させ、制御を行う際、ウェアラブル端末１１がユーザに装着されていないと判定される場合、通信端末１０が操作されていないことが検知されているときでも、当該通知情報をウェアラブル端末１１に送信させずに、当該プッシュ通知を示す情報を通信端末１０の通知部１０５に通知させる制御を行わせてもよい。
【００９８】
これにより、ウェアラブル端末１１を装着していない場合には、ウェアラブル端末１１に対してプュシュ通知がなされることを防ぐことができる。それにより、ウェアラブル端末１１の電池の消耗を抑制することができる。
【００９９】
（変形例１）
実施の形態では、通信端末１０は、ウェアラブル端末１１がユーザに装着されていないと判定された場合には、ウェアラブル端末１１に対してプュシュ通知を送信しないと説明したが、それに限らない。例えば、通信端末１０は、ウェアラブル端末１１がユーザに装着されていないと判定された後に、ウェアラブル端末１１がユーザに装着されたことを示す装着情報を受信し、かつ、通信端末１０が操作されていないことが検知されているときには、当該通知情報をウェアラブル端末１１に送信するとしてもよい。
【０１００】
これにより、通信端末１０は、ウェアラブル端末１１がユーザに装着されていないときにはウェアラブル端末１１に対してプッシュ通知を送信するのを抑制することができる。一方で、ウェアラブル端末１１がユーザに装着され、ユーザがウェアラブル端末１１による報知内容を認識可能になったタイミングで、ウェアラブル端末１１に対してプッシュ通知を送信することができる。
【０１０１】
（変形例２）
また、実施の形態では、ウェアラブル端末１１と通信端末１０との間でbluetooth（登録商標）、wifiなどの無線通信ネットワークの接続が確立されているとして説明したがそれに限らない。
【０１０２】
通信端末１０の制御部１０１は、ウェアラブル端末１１と自端末（通信端末１０）とがネットワーク１３を介して接続されているか否かを判定するとしてもよい。制御部１０１は、ウェアラブル端末１１と自端末（通信端末１０）とが接続されていないと判定する場合には、通信部１０２に当該通知情報をウェアラブル端末１１に送信させずに、プッシュ通知を示す情報を通知部１０５に通知させる制御を行えばよい。また、制御部１０１は、当該判定後に、ウェアラブル端末１１と自端末（通信端末１０）とが接続されたと判定し、自端末（通信端末１０）が操作されていないことが検知されているときには、通知部１０５に当該通知情報をウェアラブル端末１１に送信させる制御を行ってもよい。
【０１０３】
これにより、例えば圏外であったなど、ウェアラブル端末１１と通信端末１０との間で接続が確立されていないときにはウェアラブル端末１１に対してプッシュ通知を送信するのを抑制することができる。一方で、接続圏内に入り接続が復帰したなど、ウェアラブル端末１１と通信端末１０との間で接続が確立されてユーザがウェアラブル端末１１による報知内容を認識可能になったタイミングで、ウェアラブル端末１１に対してプッシュ通知を送信することができる。
【０１０４】
（変形例３）
また、実施の形態では、ウェアラブル端末１１は、ユーザに装着されている際にはプッシュ通知を受信可能であるなど常時アクティブ状態（操作制御可能状態、ロック解除状態）であるとして説明したがそれに限らない。
【０１０５】
ウェアラブル端末１１は、ユーザの操作によるパスコードの入力やジェスチャ操作入力されるまでプッシュ通知を受信できない非アクティブ状態（操作制御不可状態、ロック状態）であるとしてもよい。つまり、ウェアラブル端末１１は、ユーザによる操作可否を操作制御可能であるとしてもよい。
【０１０６】
この場合、例えば、通信端末１０の制御部１０１は、ウェアラブル端末１１がユーザに装着されていないと判定した後に、ウェアラブル端末１１がユーザに装着されたことを示す装着情報、および、ウェアラブル端末１１が操作可の状態に変更されたことを示す操作制御情報をウェアラブル端末１１から受信し、かつ、通信端末１０（自端末）が操作されていないことが検知されているときには、通知部１０５に当該通知情報をウェアラブル端末１１に送信させる制御を行うとしてもよい。
【０１０７】
これにより、通信端末１０は、ウェアラブル端末１１がユーザに装着されていないときにはウェアラブル端末１１に対してプッシュ通知を送信するのを抑制することができる。一方で、ユーザが認識可能なタイミングで、言い換えれば、ウェアラブル端末１１がユーザに装着され、かつ、ウェアラブル端末１１のロックが解除されプッシュ通知を示す情報を受信可能になったタイミングで、ウェアラブル端末１１に対してプッシュ通知を送信することができる。
【０１０８】
（変形例４）
また、実施の形態では、ウェアラブル端末１１は、ユーザに装着されているか否かを検出可能であるとして説明したが、これに限らない。ウェアラブル端末１１は、さらに、ウェアラブル端末１１を装着しているユーザの心拍数、体温または血流等のユーザの生体情報を検知可能であるとしてもよい。
【０１０９】
この場合、通信端末１０の通信部１０２は、プッシュ通知を示す情報に加えて、通知強度を示す情報を含めた通知情報をウェアラブル端末１１に送信するとしてもよい。ここで通知強度を示す情報は、ウェアラブル端末１１に通知情報に含まれるプッシュ通知の示す情報をユーザへ報知させる際の強度（報知強度）を示す情報である。例えば、報知方法がウェアラブル端末１１の振動（バイブ振動）である場合、通知強度はその振動の強さを示している。また、例えば、報知方法がウェアラブル端末１１による音である場合、通知強度はその音の大きさを示している。
【０１１０】
したがって、通信端末１０は、ウェアラブル端末１１から、ウェアラブル端末１１が検知したユーザの生体情報を受信する場合、通信端末１０の制御部１０１は、受信したユーザの生体情報に含まれるユーザの活動の程度を示す値が大きいほど、強い通知強度を示す情報を含めた通知情報をウェアラブル端末１１に送信させる制御を行うとしてもよい。
【０１１１】
これにより、ウェアラブル端末１１を装着するユーザが運動中や緊張中である場合、プッシュ通知を報知されても気づかない（認識できない）ということを防止できる。つまり、ウェアラブル端末１１を装着するユーザが運動中や緊張中であっても、ユーザに、プッシュ通知を認識させることができる。
【０１１２】
（変形例５）
なお、変形例４では、ウェアラブル端末１１は、ウェアラブル端末１１を装着しているユーザの心拍数、体温または血流等のユーザの生体情報を検知可能である場合について説明したが、これに限らない。ウェアラブル端末１１は、自端末（ウェアラブル端末１１）の加速度を検知可能であるとしてもよい。
【０１１３】
より具体的には、通信端末１０は、ウェアラブル端末１１から、ウェアラブル端末１１が検知した自端末（ウェアラブル端末１１）の加速度を示す情報（加速度情報）を受信する場合、通信端末１０の制御部１０１は、受信した自端末（ウェアラブル端末１１）の加速度情報の示す値が大きいほど、強い通知強度を示す情報を含めた通知情報をウェアラブル端末１１に送信させる制御を行うとしてもよい。
【０１１４】
これにより、ウェアラブル端末を装着するユーザが運動中や緊張中であり、プッシュ通知を報知されても気づかない（認識できない）ということを防止できる。つまり、ウェアラブル端末を装着するユーザが運動中や緊張中であっても、ユーザに、プッシュ通知を認識させることができる。
【０１１５】
（他の実施の形態等）
上述した実施の形態は一例にすぎず、各種の変更、付加、省略等が可能であることは言うまでもない。
【０１１６】
なお、上述した制御部１０１における判定部１０１１および通信制御部１０１２の機能分担は任意であり、一方の機能の一部又は全部を他方が包含し得る。
【０１１７】
また、上述の通信端末１０等の動作手順の全部又は一部は、通信端末１０等のハードウェアにより実現されても、ソフトウェアを用いて実現されてもよい。なお、ソフトウェアによる処理は、通信端末１０等に含まれるプロセッサがメモリに記憶された制御プログラムを実行することにより実現されるものである。また、その制御プログラムを記録媒体に記録して頒布や流通させてもよい。例えば、頒布された制御プログラムを装置にインストールして、装置のプロセッサに実行させることで、その装置に、例えば上述した通信端末１０等の動作の全部又は一部を行わせることが可能となる。
【０１１８】
また、上述した実施の形態で示した構成要素および機能を任意に組み合わせることで実現される形態も本発明の範囲に含まれる。
【０１１９】
なお、本発明の包括的又は具体的な各種態様には、装置、システム、方法、集積回路、コンピュータプログラム、コンピュータで読み取り可能な記録媒体等の１つ又は複数の組み合わせが含まれる。
【０１２０】
その他、上記実施の形態に対して当業者が思い付く各種変形を施して得られる形態や、本発明の趣旨を逸脱しない範囲で各実施の形態における構成要素および機能を任意に組み合わせることで実現される形態も本発明に含まれる。
【産業上の利用可能性】
【０１２１】
本発明は、スマートフォン、タブレットなど通信端末、その制御方法等に利用でき、特に、スマートフォン、タブレットなどのユーザの身体の一部に装着可能なウェアラブル端末とネットワークを介して接続可能な通信端末の制御方法、通信端末、通信システムおよびプログラムに利用可能である。
【符号の説明】
【０１２２】
１、１Ａ  通信システム
１０  通信端末
１１  ウェアラブル端末
１２  腕
１３、１４  ネットワーク
１５  外部サーバ
１０１  制御部
１０２  通信部
１０３  記憶部
１０４  検知部
１０５  通知部
１０６  入力受付部
１０６ａ  タッチパネルディスプレイ
１００１  入力装置
１００２  出力装置
１００３  ＣＰＵ
１００４  内蔵ストレージ
１００５  ＲＡＭ
１００７  読取装置
１００８  送受信装置
１００９  バス
１０１１  判定部
１０１２  通信制御部
１０１３  本来機能部
【図１】
2017050810.tif 000003
【図２】
2017050810.tif 000004
【図３】
2017050810.tif 000005
【図４】
2017050810.tif 000006
【図５】
2017050810.tif 000007
【図６】
2017050810.tif 000008
【図７】
2017050810.tif 000009
【図８】
2017050810.tif 000010
【図９】
2017050810.tif 000011
【図１０】
2017050810.tif 000012